(57)【要約】【課題】作業員の安全確保およびヒューマンエラーによる高圧停電事故の発生防止を図ることができる工事用開閉器を提供する。【解決手段】本体ケース１１の裏面に突設された支持突片１７と、操作ハンドル１４の操作に応じて上下に移動可能なように本体ケース１１の裏面に取り付けられたロック板２１とを具備し、工事用開閉器１０が切状態でないと、ロック板２１が下方に移動して、工事用開閉器１０を装柱具２１０に取り付ける際に装柱具２１０の支持突片２１６がロック板２１と干渉して、工事用開閉器１０の支持突片１７に形成されたピン孔と装柱具２１０の支持突片２１６に形成されたピン孔とが重なり合わずに装柱具２１０のピン２１３を両方のピン孔に通して工事用開閉器１０を装柱具２１０に取り付けることができないようにされている。【選択図】図１
2017130295.tif 000002
【特許請求の範囲】
【請求項１】
停電作業を行う際に電柱（１）に装柱具（２１０）を介して取り付けられる工事用開閉器（１０；３０）であって、
本体ケース（１１；３１）と、
該本体ケースの表面に回転軸（１５；３５）を中心に回転可能に取り付けられた、かつ、前記工事用開閉器を切状態または入状態にするための操作ハンドル（１４；３４）と、
前記本体ケースの裏面に突設された支持突片（１７；３７）と、
前記操作ハンドルの操作に応じて上下に移動可能なように前記本体ケースの裏面に取り付けられたロック板（２１；４１）とを具備し、
前記工事用開閉器が切状態でないと、前記ロック板が下方に移動して、該工事用開閉器を前記装柱具に取り付ける際に該装柱具が備える他の支持突片（２１６）が該ロック板と干渉して、前記支持突片に形成されたピン孔と該他の支持突片に形成された他のピン孔とが重なり合わずに、該装柱具が備えるピン（２１３）を該ピン孔および該他のピン孔に通して該工事用開閉器を該装柱具に取り付けられないようにされている、
ことを特徴とする、工事用開閉器。
【請求項２】
前記操作ハンドル（１４）の右側部分が押し上げられると、前記工事用開閉器（１０）が切状態とされ、
前記工事用開閉器が、
前記本体ケース（１１）の裏面に沿って上下に伸縮するように下端が前記ロック板（２１）の左側面に下端取付板を介して取り付けられているとともに上端が該本体ケースの裏面に上端取付板を介して取り付けられた、かつ、前記ロック板を下方に付勢するための圧縮バネ（２２）と、
一端が前記ロック板の上面に取り付けられるとともに他端にフック（２４）が取り付けられた紐（２３）と、
前記本体ケースの裏面、上面および表面に間隔をもって取り付けられた、かつ、前記紐を前記ロック板から前記操作ハンドルの右側先端部に形成された右側貫通孔まで案内するための複数個のガイド環（２５）と、
をさらに具備することを特徴とする、請求項１記載の工事用開閉器。
【請求項３】
前記フックが、前記操作ハンドルの前記右側部分が押し上げられて前記工事用開閉器が切状態にされたときにのみ、該操作ハンドルの前記右側貫通孔に引っ掛けられることを特徴とする、請求項２記載の工事用開閉器。
【請求項４】
前記操作ハンドル（３４）の右側部分が押し下げられると、前記工事用開閉器（３０）が切状態とされ、
前記工事用開閉器が、
前記本体ケース（３１）の裏面に沿って上下に伸縮するように下端が前記ロック板（４１）の左側面に下端取付板を介して取り付けられているとともに上端が該本体ケースの裏面に上端取付板を介して取り付けられた、かつ、前記ロック板を下方に付勢するための圧縮バネ（４２）と、
一端が前記ロック板の上面に取り付けられるとともに他端が前記操作ハンドルの右側先端部に形成された右側貫通孔に取り付けられた紐（４３）と、
前記本体ケースの裏面、上面および表面に間隔をもって取り付けられた、かつ、前記紐を前記ロック板から前記操作ハンドルの前記右側貫通孔まで案内するための複数個のガイド環（４５）と、
をさらに具備することを特徴とする、請求項１記載の工事用開閉器。
【発明の詳細な説明】
【技術分野】
【０００１】
本発明は、停電作業を行う際に電柱に装柱具を介して取り付けるのに好適な工事用開閉器に関する。
【背景技術】
【０００２】
従来、電力会社では、電柱や変圧器等の工事（例えば、取換工事や増設工事等）をする際には、工事区間のみを停電させる停電作業を行っている。
このような停電作業では、工事区間よりも一次側の高圧架線に電源側分岐線を接続し、工事区間よりも二次側の高圧架線に負荷側分岐線を接続するともに、電源側分岐線と負荷側分岐線とを直接に接続すると両者が直ちに充電状態になり危険であるため、工事用開閉器を電柱に取り付けて、電源側分岐線と負荷側分岐線とを工事用開閉器を介して接続するようにしている。
【０００３】
このような工事用開閉器としては、例えば、図５（ａ），（ｂ）に示す工事用開閉器１１０がある（例えば、下記の特許文献１参照）。
なお、以下の説明では、工事用開閉器１１０の図５（ａ）紙面の表側、裏側、右側、左側、上側および下側を「表側」、「裏側」、「右側」、「左側」、「上側」および「下側」とする。
したがって、支持突片１１７については、図５（ｂ）紙面の右側、左側、表側、裏側、上側および下側の面を「表面」、「裏面」、「左側面」、「右側面」、「上面」および「下面」とする。
【０００４】
工事用開閉器１１０は、本体ケース１１１と、本体ケース１１１の左側面に上下方向に並設された３個の電源側ブッシング１１２と、本体ケース１１１の右側面に３個の電源側ブッシング１１２と互いに対向するように上下方向に並設された３個の負荷側ブッシング１１３と、本体ケース１１１の表面の下部に回転軸１１５を中心に回転可能に取り付けられた操作ハンドル１１４と、本体ケース１１１の裏面の上部に取り付けられた鉤形状の引掛部材１１６と、本体ケース１１１の裏面の引掛部材１１６よりも下側に突設された矩形板状の支持突片１１７とを備える。
【０００５】
ここで、停電工事の際には、３個の電源側ブッシング１１２には３本の電源側分岐線がそれぞれ接続され、３個の負荷側ブッシング１１３には３本の負荷側分岐線がそれぞれ接続される。
【０００６】
操作ハンドル１１４は、作業員が手で操作することにより、図５（ａ）に実線で示す工事用開閉器１１０を切状態にする位置から同図に破線で示す工事用開閉器１１０を入状態にする位置まで回転軸１１５を中心に回転可能とされている。
【０００７】
支持突片１１７は、表面が本体ケース１１１の裏面に固設されているとともに、左側面から右側面まで左側面に対して垂直に貫通されたピン孔が中央部に形成されている。
【０００８】
工事用開閉器１１０を電柱１（図６参照）に取り付ける際には、図５（ｃ），（ｄ）に示す装柱具２１０が用いられる。
なお、以下の説明では、装柱具２１０の図５（ｃ）紙面の右側、左側、上側、下側、表側および裏側を「表側」、「裏側」、「右側」、「左側」、「上側」および「下側」とする。
したがって、支持突片２１６については、同図紙面の右側、左側、表側、裏側、上側および下側の面を「表面」、「裏面」、「左側面」、「右側面」、「上面」および「下面」とする。
【０００９】
装柱具２１０は、上面から下面まで上面に対して垂直に貫通する引掛孔２１１ａが表面側に形成された矩形板状の本体２１１と、両端部が本体２１１の左右側面の裏面側にそれぞれ取り付けられた、かつ、装柱具２１０を電柱１に取り付けるための取付バンド２１２と、断面形状が円形のピン２１３と、裏面が本体ケース２１１の表面に取り付けられた矩形箱状のカバー部材２１４と、カバー部材２１４内に設けられたコイルバネ２１５と、本体ケース２１１の表面のカバー部材２１４よりも本体ケース２１１の左側面側に突設された矩形板状の支持突片２１６とを備える。
【００１０】
ここで、ピン２１３は、右端部がフック状とされたステッキ形状とされているとともに、図５（ｃ）に示すように右端部を本体２１１の右側面に引っ掛けた状態では左端部がカバー部材２１４内に収容される長さとされている。
【００１１】
コイルバネ２１５は、ピン２１３の中央部に巻装されており、ピン２１３をカバー部材２１４の右側面から左側面に向かって付勢している。
【００１２】
支持突片２１６は、裏面が本体２１１の表面に固設されているとともに、左側面から右側面まで左側面に対して垂直に貫通されたピン孔が中央部に形成されている。
【００１３】
ピン２１３は、フック状とされた右端部を手で持ってコイルバネ２１５の付勢力に抗して右側に若干引っ張って上側に９０°回転させたのちに離すと、図５（ｄ）に示すようにピン２１３の右端部がカバー部材２１４の上面の右端部の中央部に引っ掛かるとともにピン２１３の左端部がカバー部材２１４の左側面から突出して支持突片２１６のピン孔を貫通するようにされている。
【００１４】
これにより、図５（ｄ）に破線で示すように工事用開閉器１１０の引掛部材１１６を装柱具２１０の引掛孔２１１ａに引っ掛け、工事用開閉器１１０の支持突片１１７が装柱具２１０のカバー部材２１４の左側面と支持突片２１６との間の支持突片２１６側に位置させたのち、ピン２１３の左端部を工事用開閉器１１０の支持突片１１７のピン孔および装柱具２１０の支持突片２１６のピン孔を貫通させて、工事用開閉器１１０を装柱具２１０に取り付けることにより、図６に示すように工事用開閉器１１０を電柱１に取り付けることができる。
【００１５】
また、一般的に、運搬時の振動等による刃の接触不具合を防止するために、操作ハンドル１１４を予め操作して工事用開閉器１１０を切状態にしておくように取り決められている。
【００１６】
なお、本出願人は、下記の特許文献２において、入状態のときに開閉器が吊り上げられることを防止するために、開閉器本体に対して着脱可能な吊上部材と、入状態ではなく切状態のときに吊上部材を開閉器本体に固定可能とするロック部材とを備えた開閉器を提案している。
【先行技術文献】
【特許文献】
【００１７】
【特許文献１】特開平９−２１５１４３号公報
【特許文献２】特開２０１３−１９２３４６号公報
【発明の概要】
【発明が解決しようとする課題】
【００１８】
しかしながら、作業員が工事用開閉器１１０を切状態にするように操作ハンドル１１４を予め操作することを失念してしまい、入状態のまま工事用開閉器１１０を電柱１に装柱具２１０を介して取り付けると、付属ケーブルを高圧架線に取り付ける際に作業員の感電やヒューマンエラーによる高圧停電事故（地絡事故や短絡事故）を発生させることがあるという問題があった。
【００１９】
なお、上記の特許文献２で提案した開閉器では、吊上部材を吊り上げているときに切状態から入状態に切り替わることを防止するために、吊上部材を開閉器本体に固定するとともに開閉部の姿勢変更を規制するように構成して、吊上部材を開閉器本体に固定しているときに開閉部に外力が作用しても開閉部の姿勢が変更されないようにする必要がある（公報の段落００６１参照）。
【００２０】
本発明の目的は、作業員の安全確保およびヒューマンエラーによる高圧停電事故の発生防止を図ることができる工事用開閉器を提供することにある。
【課題を解決するための手段】
【００２１】
本発明の工事用開閉器は、停電作業を行う際に電柱（１）に装柱具（２１０）を介して取り付けられる工事用開閉器（１０；３０）であって、本体ケース（１１；３１）と、該本体ケースの表面に回転軸（１５；３５）を中心に回転可能に取り付けられた、かつ、前記工事用開閉器を切状態または入状態にするための操作ハンドル（１４；３４）と、前記本体ケースの裏面に突設された支持突片（１７；３７）と、前記操作ハンドルの操作に応じて上下に移動可能なように前記本体ケースの裏面に取り付けられたロック板（２１；４１）とを具備し、前記工事用開閉器が切状態でないと、該ロック板が下方に移動して、該工事用開閉器を前記装柱具に取り付ける際に該装柱具が備える他の支持突片（２１６）が前記ロック板と干渉して、前記支持突片に形成されたピン孔と該他の支持突片に形成された他のピン孔とが重なり合わずに、該装柱具が備えるピン（２１３）を該ピン孔および該他のピン孔に通して該工事用開閉器を該装柱具に取り付けられないようにされている、
ことを特徴とする。
ここで、前記操作ハンドル（１４）の右側部分が押し上げられると、前記工事用開閉器（１０）が切状態とされ、前記工事用開閉器が、前記本体ケース（１１）の裏面に沿って上下に伸縮するように下端が前記ロック板（２１）の左側面に下端取付板を介して取り付けられているとともに上端が該本体ケースの裏面に上端取付板を介して取り付けられた、かつ、前記ロック板を下方に付勢するための圧縮バネ（２２）と、一端が前記ロック板の上面に取り付けられるとともに他端にフック（２４）が取り付けられた紐（２３）と、前記本体ケースの裏面、上面および表面に間隔をもって取り付けられた、かつ、前記紐を前記ロック板から前記操作ハンドルの右側先端部に形成された右側貫通孔まで案内するための複数個のガイド環（２５）とをさらに具備してもよい。
前記フックが、前記操作ハンドルの前記右側部分が押し上げられて前記工事用開閉器が切状態にされたときにのみ、該操作ハンドルの前記右側貫通孔に引っ掛けられてもよい。
前記操作ハンドル（３４）の右側部分が押し下げられると、前記工事用開閉器（３０）が切状態とされ、前記工事用開閉器が、前記本体ケース（３１）の裏面に沿って上下に伸縮するように下端が前記ロック板（４１）の左側面に下端取付板を介して取り付けられているとともに上端が該本体ケースの裏面に上端取付板を介して取り付けられた、かつ、前記ロック板を下方に付勢するための圧縮バネ（４２）と、一端が前記ロック板の上面に取り付けられるとともに他端が前記操作ハンドルの右側先端部に形成された右側貫通孔に取り付けられた紐（４３）と、前記本体ケースの裏面、上面および表面に間隔をもって取り付けられた、かつ、前記紐を前記ロック板から前記操作ハンドルの前記右側貫通孔まで案内するための複数個のガイド環（４５）とをさらに具備してもよい。
【発明の効果】
【００２２】
本発明の工事用開閉器は、以下に示す効果を奏する。
（１）切状態でなければ工事用開閉器を電柱に装柱具を介して取り付けられないようにできるため、作業員が誤って入状態のまま工事用開閉器を電柱に取り付けることがなくなり、作業員の安全確保およびヒューマンエラーによる高圧停電事故の発生防止を図ることができる。
（２）ヒューマンエラーによる高圧停電事故の発生防止を図れるため、供給信頼度を向上させることができる。
【図面の簡単な説明】
【００２３】
【図１】本発明の第１の実施例による工事用開閉器１０の構成を示す図であり、（ａ），（ｂ）は切状態の工事用開閉器１０の正面図および左側面図であり、（ｃ），（ｄ）は入状態の工事用開閉器１０の正面図および左側面図である。
【図２】本発明の第１の実施例による工事用開閉器１０を電柱１に装柱具２１０を介して取り付けるときの様子を示す図であり、（ａ）は工事用開閉器１０を切状態にしてフック２４を操作ハンドル１４の右側貫通孔に引っ掛けたときの様子を示す図であり、（ｂ）は工事用開閉器１０を入状態にしたときの様子を示す図である。
【図３】本発明の第２の実施例による工事用開閉器３０の構成を示す図であり、（ａ），（ｂ）は切状態の工事用開閉器３０の正面図および左側面図であり、（ｃ），（ｄ）は入状態の工事用開閉器３０の正面図および左側面図である。
【図４】本発明の第２の実施例による工事用開閉器３０を電柱１に装柱具２１０を介して取り付けるときの様子を示す図であり、（ａ）は工事用開閉器３０を切状態にしたときの様子を示す図であり、（ｂ）は工事用開閉器１０を入状態にしたときの様子を示す図である。
【図５】従来の工事用開閉器１１０および装柱具２１０の構成を示す図であり、（ａ），（ｂ）は工事用開閉器１１０の正面図および左側面図であり、（ｃ），（ｄ）は装柱具２１０の上面図である。
【図６】従来の工事用開閉器１１０を電柱１に装柱具２１０を介して取り付けた状態を示す図である。
【発明を実施するための形態】
【００２４】
上記の目的を、切状態でないと工事用開閉器を装柱具に取り付けられないようにするためのロック板を設けることにより実現した。
【実施例１】
【００２５】
以下、本発明の工事用開閉器の実施例について図面を参照して説明する。
本発明の第１の実施例による工事用開閉器１０は、図１（ａ），（ｂ）に示すように、矩形板状のロック板２１と、圧縮バネ２２と、紐２３と、フック２４と、複数個の半円環状のガイド環２５とを具備する点で、図５（ａ），（ｂ）に示した工事用開閉器１１０と相違する。
なお、以下の説明では、工事用開閉器１０の図１（ａ）紙面の表側、裏側、右側、左側、上側および下側を「表側」、「裏側」、「右側」、「左側」、「上側」および「下側」とする。
したがって、支持突片１７およびロック板２１については、図１（ｂ）紙面の右側、左側、表側、裏側、上側および下側の面を「表面」、「裏面」、「左側面」、「右側面」、「上面」および「下面」とする。
【００２６】
ここで、ロック板２１は、切状態でないと工事用開閉器１０を装柱具２１０に取り付けられないようにするためのものであり、工事用開閉器１０を装柱具２１０に取り付けた状態では左側面および右側面が装柱具２１０の支持突片２１６の左側面および右側面と同一平面上となるように、工事用開閉器１０の裏面の支持突片１７よりも本体ケース１１の左側面側に位置するようにされている。
【００２７】
圧縮バネ２２は、ロック板２１を下方に付勢するためのものであり、本体ケース１１の裏面に沿って上下に伸縮するように、下端がロック板２１の左側面の中央部に下端取付板を介して取り付けられているとともに上端が本体ケース１１の裏面の上部に上端取付板を介して取り付けられている。
【００２８】
紐２３の一端は、ロック板２１の上面に取り付けられている。
紐２３の他端には、フック２４が取り付けられている。
紐２３は、本体ケース１１の裏面の上部、上面および表面の左上部に間隔をもって取り付けられた複数個のガイド環２５内を通されている。
【００２９】
これにより、紐２３の他端部を手で持って引き下げると、ロック板２１が紐２３によって引き上げられて圧縮バネ２２の付勢力に抗して上方に移動させることができる。また、このようにして上方に移動させたロック板２１は、紐２３の他端部から手を離すと、圧縮バネ２２の付勢力によって下方に移動させることができる。
なお、圧縮バネ２２および紐２３の長さは、工事用開閉器１０を切状態にしたときには圧縮バネ２２が最大限伸びてロック板２１の下面が支持突片１７の下面と略同一平面上になるとともに（図１（ｄ）参照）、工事用開閉器３０を入状態にしたときには圧縮バネ２２が縮んでロック板２１の下面が支持突片１７の上面よりも高くなるようにされている（図１（ｂ）参照）。
【００３０】
工事用開閉器１０を電柱１に装柱具２１０を介して取り付ける際には、作業員は、操作ハンドル１４の右側部分を押し上げて工事用開閉器１０を切状態にしたのち、フック２４を操作ハンドル１４の右側先端部に形成された貫通孔（以下、「右側貫通孔」と称する。）に引っ掛ける（図１（ａ），（ｂ）参照）。
これにより、ロック板２１は紐２３によって引き上げられて圧縮バネ２２の付勢力に抗して上方に移動するため、工事用開閉器１０を装柱具２１０に取り付ける際に装柱具２１０の支持突片２１６がロック板２１と干渉することはない。
そのため、図２（ａ）に示すように、工事用開閉器１０の支持突片１７のピン孔と装柱具２１０の支持突片２１６のピン孔とを重ね合わせるようにできるため、ピン２１３の左端部を支持突片１７のピン孔および支持突片２１６のピン孔を貫通させて、工事用開閉器１０を装柱具２１０に取り付けることにより、工事用開閉器１０を電柱１に取り付けることができる。
【００３１】
また、操作ハンドル１４の右側部分が押し下げられて工事用開閉器１０が入状態となっている場合には、図１（ｃ）に示すように操作ハンドル１４の右側部分が低い位置にあるため、作業員がフック２４を操作ハンドル１４の右側貫通孔に引っ掛けようとしても紐２３の長さが足りないために引っ掛けることができない。
そのため、工事用開閉器１０が入状態となっている場合には、ロック板２１は圧縮バネ２２の付勢力で下方に移動しているため、工事用開閉器１０を装柱具２１０に取り付けようとしても、図２（ｂ）に示すように装柱具２１０の支持突片２１６がロック板２１と干渉して、工事用開閉器１０の支持突片１７のピン孔と装柱具２１０の支持突片２１６のピン孔とを重ね合わせられないので、入状態のままでは工事用開閉器１０を電柱１に取り付けられないようにすることができる。
【００３２】
停電作業のために工事用開閉器１０を入状態にする際には、作業員は、フック２４を操作ハンドル１４の右側貫通孔から取り外して、取り外したフック２４を本体ケース１１の表面に取り付けられたガイド環２５に引っ掛ける。
これにより、ロック板２１は圧縮バネ２２の付勢力で下方に移動するが、ロック板２１は装柱具２１０の支持突片２１６と干渉して、その下面が装柱具２１０の支持突片２１６の上面に当接した位置で止まるため、特に問題が生じることはない。
【実施例２】
【００３３】
本発明の第２の実施例による工事用開閉器３０は、図３（ａ），（ｂ）に示すように、操作ハンドル３４の右側部分を押し下げると切状態にされる点と、紐４３の他端部がフック２４を介さずに操作ハンドル３４の右側貫通孔に取り付けられている点で、図１（ａ），（ｂ）に示した本発明の第１の実施例による工事用開閉器１０と相違する。
なお、以下の説明では、工事用開閉器３０の図３（ａ）紙面の表側、裏側、右側、左側、上側および下側を「表側」、「裏側」、「右側」、「左側」、「上側」および「下側」とする。
したがって、支持突片３７およびロック板４１については、図３（ｂ）紙面の右側、左側、表側、裏側、上側および下側の面を「表面」、「裏面」、「左側面」、「右側面」、「上面」および「下面」とする。
【００３４】
工事用開閉器３０では、操作ハンドル３４の右側部分を押し下げて工事用開閉器３０を切状態にすると、ロック板４１は、紐４３によって引き上げられて、圧縮バネ４２の付勢力に抗して上方に移動させることができる（図１（ｂ）参照）。
一方、操作ハンドル３４の右側部分を押し上げて工事用開閉器３０を入状態にすると、ロック板４１は、圧縮バネ４２の付勢力によって下方に移動させることができる。
なお、圧縮バネ４２および紐４３の長さは、工事用開閉器３０を切状態にしたときには圧縮バネ４２が最大限伸びてロック板４１の下面が支持突片３７の下面と略同一平面上になるとともに（図３（ｄ）参照）、工事用開閉器３０を入状態にしたときには圧縮バネ４２が縮んでロック板４１の下面が支持突片３７の上面よりも高くなるようにされている（図３（ｂ）参照）。
【００３５】
工事用開閉器３０を電柱１に装柱具２１０を介して取り付ける際には、作業員は、操作ハンドル３４の右側部分を押し下げて工事用開閉器３０を切状態にする。
これにより、ロック板４１は紐４３によって引き上げられて圧縮バネ４２の付勢力に抗して上方に移動するため、工事用開閉器３０を装柱具２１０に取り付ける際に装柱具２１０の支持突片２１６がロック板４１と干渉することはない。
そのため、図４（ａ）に示すように、工事用開閉器３０の支持突片３７のピン孔と装柱具２１０の支持突片２１６のピン孔とを重ね合わせるようにできるため、ピン２１３の左端部を支持突片３７のピン孔および支持突片２１６のピン孔を貫通させて、工事用開閉器３０を装柱具２１０に取り付けることにより、工事用開閉器３０を電柱１に取り付けることができる。
【００３６】
なお、操作ハンドル３４の右側部分が押し上げられて工事用開閉器３０が入状態となっている場合には、図３（ｃ）に示すように操作ハンドル３４の右側部分が高い位置にあるため、紐４３が緩む。
そのため、工事用開閉器３０が入状態となっている場合には、ロック板４１は圧縮バネ４２の付勢力で下方に移動させられているため、工事用開閉器３０を装柱具２１０に取り付けようとしても、図４（ｂ）に示すように装柱具２１０の支持突片２１６がロック板４１と干渉して、工事用開閉器３０の支持突片３７のピン孔と装柱具２１０の支持突片２１６のピン孔とを重ね合わせられないので、入状態のままでは工事用開閉器３０を電柱１に取り付けられないようにすることができる。
【００３７】
停電作業のために工事用開閉器３０を入状態にする際には、作業員は、操作ハンドル３４の右側部分を押し上げる。
これにより、ロック板４１は圧縮バネ４２の付勢力で下方に移動するが、ロック板４１は装柱具２１０の支持突片２１６と干渉して、その下面が装柱具２１０の支持突片２１６の上面に当接した位置で止まるため、特に問題が生じることはない。
【符号の説明】
【００３８】
１  電柱
１０，３０，１１０  工事用開閉器
１１，３１，１１１  本体ケース
１２，３２，１１２  電源側ブッシング
１３，３３，１１３  負荷側ブッシング
１４，３４，１１４  操作ハンドル
１５，３５，１１５  回転軸
１６，３６，１１６  引掛部材
１７，３７，１１７  支持突片
２１，４１  ロック板
２２，４２  圧縮バネ
２３，４３  紐
２４  フック
２５，４５  ガイド環
２１０  装柱具
２１１  本体
２１１ａ  引掛孔
２１２  取付バンド
２１３  ピン
２１４  カバー部材
２１５  コイルバネ
２１６  支持突片
【図１】
2017130295.tif 000003
【図２】
2017130295.tif 000004
【図３】
2017130295.tif 000005
【図４】
2017130295.tif 000006
【図５】
2017130295.tif 000007
【図６】
2017130295.tif 000008